(57)【要約】【課題】  本発明はベッド上に置いた状態でも、吸排気ファンをボックス本体に一体的に取付けた状態でも安定的した状態で使用できる臭気等処理装置を提供するにある。【解決手段】  底部が天井部よりも狭い形態のボックス本体２と、この２の開口部３と、ボックス本体２の側壁奥側上方に設けられた吸出口４と、この吸出口４からの臭気を下方に誘導するためのボックス本体２の外側に該２と一体的に設けられた臭気等誘導部５と、この臭気等誘導部５の下方に設けられた吸排気ファン７とからなっている。【選択図】図１
2008307407.tif 000002
【特許請求の範囲】
【請求項１】
主に介護される者が寝ている布団の上に直接置いて且つ臀部横に置いて使用する、底部が上部よりも狭い形態で上方が下方より介護される者の側に突出した形態からなるボックス本体と、このボックス本体の介護される者の臀部側に開口してなる開口部と、前記ボックス本体の略中程から上方に設けられた主に該ボックス本体内の臭気等を該ボックス本体外に排出するための吸出口と、この吸出口からの臭気等を下方に誘導するための前記ボックス本体と一体的に設けられた臭気等誘導部と、この臭気等誘導部の下方側となる部位に設けられた排出部と、前記臭気等誘導部の中ほどより下方あるいは前記排出部に設けられた吸排気ファンとからなり、前記吸排気ファンの重量により重心が下方となって前記ボックス本体の布団上での安定性がよくなるようにしてなることを特徴とする臭気等処理装置。
【請求項２】
排出部に柔軟性のビニール筒を設け、吸込みホースを前記ビニール筒を結束して取付け、あるいは吸排気ファンを前記ビニール筒を結束して取付けるようにしてなることを特徴とする請求項１記載の臭気等処理装置。
【発明の詳細な説明】
【技術分野】
【０００１】
本発明は主に寝たきり者などの介護される者のおむつを交換するときなどに、そのおむつおよび寝たきり者の臀部からの臭気等を吸込み、室内に臭気が飛散しないようにするため臭気等処理装置に関する。に関する。
【背景技術】
【０００２】
従来特開２００１−０１７４８７（脱臭ボックス）に、前部に開口部を有するととも底部が上部よりも狭い形態からなるボックス本体と、このボックス本体の側部壁や背部壁の上方に設けた吸出口に掃除機の吸引ホースを差し込み、ボックス本体内の臭気および介護されるものの臀部の臭気を掃除機の吸引力でボックス本体内に吸い寄せさらに吸出して、屋外に排出するという脱臭ボックスや脱臭装置が開示されている。
【特許文献１】特開２００１−０１７４８７号公報
【非特許文献１】特になし
【発明の開示】
【発明が解決しようとする課題】
【０００３】
前述した従来技術は、掃除機の吸引ホースを差し込む吸出口がボックス本体の上方にあるために、ベッド上に置いた脱臭ボックスが不安定になるという欠点があった。また、安価な柔らかで折れやすいビニールホース系の排気ホースは折れて塞がるので使用し難いという欠点があった。また、吸排気ファンをボックス本体に一体的に取付ける場合には、ボックス本体の上方に取付けなければならず、そうした場合は上部に重心がより移りより不安定になるので、吸排気ファンをボックスと一体的に設けることが実用的でないという欠点があった。また、ボックス本体の底部が狭いために、底部に敷いたシートに汚物を投入するのであるが、汚物が介護される者の側（前方）に来たり、シートに汚物を載せたままの状態で脱臭ボックスを動かしたり出来難い、汚物が開口部側にあることが多くなり、汚物の臭気の吸い寄せの弱いあるいはおよばない部位が多くなって臭気の一部がボックス外に飛散してしまうという欠点があった。
【０００４】
本発明は以上のような従来の欠点に鑑みてなされたものであって、その目的は、ベッド上に置いた状態でも、吸排気ファンをボックス本体に一体的に取付けた状態でも安定的した状態で使用できる臭気等処理装置を提供するにある。また、本発明の他の目的は、収納した汚物の臭気のボックス外への漏れを少なくした臭気等処理装置を提供するにある。
【課題を解決するための手段】
【０００５】
上記目的を達成するために、本発明は次のような構成となっている。
＜請求項１記載の発明＞
主に介護される者が寝ている布団の上に直接置いて且つ臀部横に置いて使用する、底部が上部よりも狭い形態で上方が下方より介護される者の側に突出した形態からなるボックス本体と、このボックス本体の介護される者の臀部側に開口してなる開口部と、前記ボックス本体の略中程から上方に設けられた主に該ボックス本体内の臭気等を該ボックス本体外に排出するための吸出口と、この吸出口からの臭気等を下方に誘導するための前記ボックス本体と一体的に設けられた臭気等誘導部と、この臭気等誘導部の下方側となる部位に設けられた排出部と、前記臭気等誘導部の中ほどより下方あるいは前記排出部に設けられた吸排気ファンとからなり、前記吸排気ファンの重量により重心が下方となって前記ボックス本体の布団上での安定性がよくなるようにしてなることを特徴とする臭気等処理装置である。
【０００６】
＜請求項２記載の発明＞
請求項１記載の発明の構成において、排出部に柔軟性のビニール筒を設け、吸込みホースを前記ビニール筒を結束して取付け、あるいは吸排気ファンを前記ビニール筒を結束して取付けるようにしてなることを特徴とする臭気等処理装置を構成している。
【発明の効果】
【０００７】
以上の説明から明らかなように、本発明にあっては次に述べるような効果が得られる。
＜請求項１記載の発明の効果＞
主に介護される者が寝ている布団の上に直接置いて且つ臀部横に置いて使用する、底部が上部よりも狭い形態で上方が下方より介護される者の側に突出した形態からなるボックス本体と、このボックス本体の介護される者の臀部側に開口してなる開口部と、前記ボックス本体の略中程から上方に設けられた主に該ボックス本体内の臭気等を該ボックス本体外に排出するための吸出口と、この吸出口からの臭気等を下方に誘導するための前記ボックス本体と一体的に設けられた臭気等誘導部と、この臭気等誘導部の下方側となる部位に設けられた排出部と、前記臭気等誘導部の中ほどより下方あるいは前記排出部に設けられた吸排気ファンとからなり、前記吸排気ファンの重量により重心が下方となって前記ボックス本体の布団上での安定性がよくなるようにしてなることを特徴とする臭気等処理装置である。
よって、前記臭気等誘導部の中ほどより下方あるいは前記排出部に設けられた吸排気ファンによって、前記吸排気ファンの重量により重心が下方となって前記ボックス本体の布団上での安定性がよくなるという効果を奏する。
【０００８】
＜請求項２記載の発明の効果＞
請求項１記載の発明の構成において、排出部に柔軟性のビニール筒を設け、吸込みホースを前記ビニール筒を結束して取付け、あるいは吸排気ファンを前記ビニール筒を結束して取付けるようにしてなることを特徴とする臭気等処理装置を構成している。
【発明を実施するための最良の形態】
【０００９】
以下、図面に示す実施の形態により、本発明を詳細に説明する。但し、記載され内容は本発明の技術的範囲をそれらに限定する趣旨のものではない。
【００１０】
図１ないし図５に示す本発明の第１の実施の形態において１はダンボール製の臭気等処理装置であって、この臭気等処理装置１は主に介護される者の臀部横に置いて使用するボックス本体２と、このボックス本体２の介護される者の臀部側に開口してなる開口部３と、ボックス本体２の側壁奥側上方に設けられたボックス本体２内の臭気を該２外に吸い出すための吸出口４と、この吸出口４からの臭気を下方に誘導するためのボックス本体２の外側に該２と一体的に設けられた臭気等誘導部５と、この臭気等誘導部５の下方に設けられた排出部６と、この排出具の内側で臭気誘導部５内に設けられた電動式の吸排気ファン７（電源コード省略）と、ボックス本体２内に投入した紙おむつ等の投入物８が前方（開口部側）に来ることなく、ボックス本体２の下部奥側に広がらず小スペースで置かれるようにするための投入物前方行阻止部９と、ボックス本体２の背部壁内側面の投入物前方行阻止部９より高い部位に設けられた、投入物８を受けるためのシート部材や袋部材などの投入物受け部材１０を差込み係止するための投入物受け部材係止部１１とからなっている。投入物受け部材１０はオムツ交換の場合は、該オムツと同じ素材からなるシート及び包み固定のための粘着テープが、オムツの再生処理がしやすいのでよい。
【００１１】
図４において、ベッド１２に横臥した介護される者１３の臀部横に臭気等処理装置１が置かれている。排出部６には柔軟性のあるビニール系ホースからなる排気ホース１４が接続され、中にペットボトルの底部と上部をカットして筒状にしたものなどが適宜に入れられて、パイプ形態となるようにしている。排気ホース１４の排出口は掃き出しで戸１５と戸口１６に挟まれた四角形の排気ダクト１７に接続され、排気ダクト１７上の隙間はダンボール板製の隙間塞板１８を該１８に適宜な間隔で設けた洗濯挟み差込孔（図示せず）に物干し竿を挟み付ける洗濯挟み（図示せず）に一方の挟持部を差込み、戸１５を挟み付けるようにして係止されている。
【００１２】
次に、本発明の異なる実施の形態につき説明する。なお、これら発明の異なる実施の形態の説明に当たって、前記本発明の第１の実施の形態と同一構成部分には同一符号を付して重複する説明を省略する。
【００１３】
図５に示す本発明の第２の実施の形態において前記本発明の実施の形態１と主に異なる点は、排出部６に柔軟性のビニール筒２１を設けあるいは設けられ、排出部６に差込まれた掃除機からの吸込みホース２２をビニール筒２１を結束して取付けている点にある。
【００１４】
図６に示す本発明の第３の実施の形態において前記本発明の実施の形態１と主に異なる点は、排出部６に電動式の吸排気ファン２４を取付けた点にある。吸排気ファン２４の取付けは、柔軟性のビニール筒２５を結束具や粘着テープなどの固定手段２６で固定し（事前に固定されている構成でもよい）、吸排気ファン２４の一部を排出部６に差込み、ビニール筒２５を吸排気ファン２４上で結束手段２７により結束して排出部６に取付けている。排気ホース１４を排出部６に結束取付ける。
【００１５】
図７に示す本発明の第４の実施の形態において前記本発明の実施の形態１と主に異なる点は、臭気等誘導部５内中ほどにファン取付け部２９をもうけ、このファン取付け部２９に吸排気ファン７が取付けられ、臭気等誘導部５の下方に空気の流れをスムーズにするための湾曲した空気抵抗軽減カーブ部３０を設けた点にある。臭気等誘導部５の天井部などに扉等を設けて、吸排気ファン７を容易に後付けできるようにしておくのがよい。
【００１６】
図８に示す本発明の第５の実施の形態において前記本発明の実施の形態１と主に異なる点は、臭気等誘導部５の内部に消臭・脱臭部剤、消臭・脱臭部材、光り触媒式消臭装置、オゾン式消臭装置などからなる消臭手段３２が設けられ、排出部６に吸排気ファン７を設けた点にある。
【００１７】
図９に示す本発明の第６の実施の形態において前記本発明の実施の形態１と主に異なる点は、吸出口４からボックス本体２内の天井部側に誘導部形成板３４がボックス内上部誘導部３５を形成するように設けられ、このボックス内上部誘導部３５にボックス本体２内の臭気等を吸込むための下向きの天井側吸出口３６を設けてなる点にある。
【００１８】
図１０に示す本発明の第７の実施の形態において前記本発明の実施の形態１と主に異なる点は、ボックス本体２の内側の背部と天井部にかけて臭気等誘導部３８を形成するように略へ字形状やＬ字形状の誘導部形成板３９を設け、該３９の天井側部位に天井側吸出口３６を設け、排出口４０を臭気等誘導部３８の下方側部に設け、投入物受け部材係止部１１と投入物前方行阻止部９を一枚のダンボール板４１により形成した点にある。
【００１９】
図１１に示す本発明の第８の実施の形態において前記本発明の実施の形態１と主に異なる点は、ボックス本体２の背部の内側（外側でも良い）に臭気等誘導部４３を形成する誘導部形成板４４を設け、この４４の上部に吸出口４５を設けた点にある。
【００２０】
図１２及び図１３に示す本発明の第９の実施の形態において前記本発明の実施の形態１と主に異なる点は、ボックス本体２の天井部、背部および両側部を連絡された中空構造部とした臭気誘導部４６を設け、その天井部内壁前方に上部吸出口４７を設け、両側部の内壁前方に側部吸出口４８を設け、臭気誘導部５とボックス本体２の間に下部から上部に達する吸出口４９を設けた点にある。
【００２１】
図１４に示す本発明の第１０の実施の形態において前記本発明の実施の形態１と主に異なる点は、臭気等誘導部５をボックス本体２に後付けで固定することが出来るようにした、臭気等誘導装置５１とした点にある。臭気等誘導装置５１は開口部側にフランジ５２を設け、該５２に粘着部５３が設けられている。
【００２２】
（付記）
＜１＞非通気性のビニール系、ポリエチレン、ポリスチレンなどの柔軟性シート状部材をホース形態にして形成したホース本体と、このホース本体の外側に接着や融着などにより内側部位を固定された、起こされた状態でフランジ体を形成して前記ホース本体を筒状形態（ホース体）に保持するための適宜な間隔で配置された板状部材片からなる筒状形態保持手段とからなることを特徴とする排気ホース。
＜２＞筒状形態保持手段がホース本体に対向するように取付けられた対からなる板状部材であって、内側が胴部分と腕部分とからなる略コの字形態あるいはＬの字形態からなるものであり、前記胴部分の内側を前記ホース本体に固定し、前記腕部分同士をクリップ等の接続手段で接続することにより前記腕部分と前記胴部分により内側に空間部を有するフランジ体が形成され、このこのフランジ体の形成により前記胴部分に固定された前記ホース本体が筒状態となり該筒状態が保持されるようにしてなることを特徴とする前記＜１＞記載の排気ホース。
＜３＞筒状形態保持手段が二つ折になり且つ展開するとフランジ体となって内側に溝形態を含む空間部が形成される板上部材からなることを特徴とする＜１＞＜２＞いずれか記載の排気ホース。
＜４＞筒状形態保持手段の構成を、三角筒体に折り上げることが出来る、底部、右側部、左側部からなる板状部材片にしたことを特徴とする前記＜１＞記載の排気ホース。
前記＜１＞ないし＜３＞に記載の発明の効果。
＜１＞ないし＜３＞産業上の利用分野本発明は排気ホースに関する。
＜１＞ないし＜３＞に記載の発明に関する従来技術従来、室内において介護される者のおむつ交換時の臭気を排出するため、介護される者の臀部付近に置く脱臭ボックス内の空気を吸引するためのホースとして、掃除機などに使われる細い蛇腹ホースや、合成樹脂製やアルミ製部材で蛇腹上に形成された太目のホースが使用されていた。
＜１＞ないし＜３＞に記載の発明が解決しようとする課題上述した従来技術のものは、それぞれが高価であるという欠点があった。また、細い蛇腹製のものは吸引騒音が大きいと言う欠点があった。また、太目のホースは容積が大きく、運送費がかかる、収納性が悪いと言う欠点があった。
＜１＞ないし＜３＞に記載の発明の目的本発明は以上のような従来技術の持つ問題点に鑑みてなされたものであって、その目的は、安価で運搬性・収納性がよい排気ホースを提供するにある。
＜１＞ないし＜３＞に記載の発明の効果安価なビニール系などの柔軟性部材からなるホース部材に、ダンボール製部材などの安価な板材からなる前記ホース部材を筒状形態に保持する筒状形態保持手段を適宜な間隔で設けたものであるので、収納性と折りたたみコンパクトにして運送できるので、安価な排気ホースを提供できるとう効果を奏する。また、排気ホースを太いものにできるのでホースにかかわる吸引音を大幅に軽減できるという効果を奏する。使用後は折りたたんで置けるので、収納性が良いという効果も奏する。
【００２３】
図１５ないし図１７に示す本出願人の発明であるところの第１１の実施の形態において５５は排気ホースであって、この排気ホース５５は非通気性柔軟性部材（ビニール系、ポリエチレン、ポリスチレンなどのビニール袋を形成する部材と同じもの）をホース形態にして形成したホース本体５６と、このホース本体５６の外側に適宜な間隔で接着や融着などにより内側部位を固定された適宜な数の四角筒体５７と、該５７の対向する側部に起こされた状態でフランジ体を形成してホース本体５６を筒状形態（ホース体）に保持するための適宜な間隔で配置されたダンボール製の胴部５８と腕部５９からなる一対のＬの字形態の板状部材片６０で構成された筒状形態保持手段６１と、ホース本体５６の排気口に設けられたダンボール製四角形筒体からなる排気ダクト６２とからなっている。板状部材片６０、６０を起こして、重なった腕部５９、５９をクリップ、粘着テープ、ホッチキスなどの接続手段６３で接続することにより、空間部を有するフランジ体を形成してホース本体５６を筒状形態に広げその筒状形態を保持する。筒状形態保持手段６１は同じ間隔で配列する必要はなく、ベッドからの降り部位に当たる部位などは狭い間隔に配列して、筒状形態が確りと形成されるようにするのがよい。
【００２４】
図１８ないし図２１に示す本出願人の発明であるところの第１２の実施の形態において前記本発明の実施の形態１１と主に異なる点は、筒状形態保持手段６５の構成をダンボール製板の上方に切込み６６を下方に切り込み６７を設けて、上部腕部６８、下部腕部６９、該６８と６９を連絡する胴部７０、この胴部７０から延びた糊代部７１とかなる板状部材片７２、７２からなる構成とした点にある。糊代部７１をホース本体５６に接着あるいは融着とうして接合して板状部材７２を取付けてある。図１９および図２１に示すように、腕部６９、６９は前方あるいは後方に折って、ベッド１２からの降りをなだらかにするための折部７３が多数設けられたダンボール板材７４に、クリップなどで固定して、ホース本体５６の均一な筒状形態が形成されるようにでき、良好な吸排気を実現することができる。
【００２５】
図２２に示す本出願人の発明であるところの第１３の実施の形態において前記第１１の実施の形態と主に異なる点は、筒状形態保持手段７６の形態を内側に空間部７７を有する四角リンク体からなるダンボール製の板状部材片８１からなり、且つ、二つ折りにでき、且つ、底部横片形成部９５を折り目８４，８４を折ることにより形成できる形態にした点である。底部横片形成部９５が横に折られることにより、筒状形態保持手段７６の開いてホース本体５６を筒状にした状態が保持されるとともに、ダンボール板材７４に底部横片形成部９５をクリップ等で固定して前記第１２の実施の形態と同様な使用が可能となる。胴部７８、７９の内側には短い糊代部８０が設けられ、この糊代部８０がホース本体５６に接合されている。８２、８２は折り目。糊代部は、屑を出さないのであれば、空間部７７の半分程度の広いものとするのもよい。こうする方がホース本体５６と筒状形態保持手段７６の接合面積部位が広くなり、より良好な筒状形態を得ることができるとともに、筒状形態保持手段の数を少なくすることができ、製造工程の軽減、材料費の軽減および生産性の向上を実現する。
【００２６】
図２３に示す本出願人の発明であるところの第１４の実施の形態において前記第１１の実施の形態と主に異なる点は、筒状形態保持手段８６の形態を前記筒状形態保持手段７６を真中から二つに分けた形態の板状部材片８７、８７からなる構成とした点にある。板状部材片８７は上部腕部８８、下部腕部８９、該８８と該８９を連絡する胴部９０、この胴部９０内側に折り目をつけて設けられた糊代部９１とからなっている。
【００２７】
図２４および図２５に示す本出願人の発明であるところの第１５の実施の形態において前記第１１の実施の形態と主に異なる点は、筒状形態保持手段９６の構成を、三角筒体に折り上げることが出来る、底部９７、右側部９８、左側部９９からなる板状部材片１００にした点である。少なくとも右側部９８、左側部９９にホース本体５６が接着や融着などにより接合されていて、右側部９８、左側部９９を起して頂部１０１，１０１を合わせて該頂部をクリップ等で固定することにより、三角筒状形態を形成しその形態を保持することが出来る。組立・展開操作も簡単で、展開して折り畳みコンパクトにして収納することも、輸送すること容易であり、低コストと使用しやすさを実現する。
【産業上の利用可能性】
【００２８】
本発明は主に、介護用品を扱う産業で利用される。
【図面の簡単な説明】
【００２９】
【図１】本発明の第１の実施の形態の使用状態の説明図。
【図２】本発明の発明であるところの第１の実施の形態の投入物受け部材をセットした状態の斜視図。
【図３】本発明の第１の実施の形態の使用状態を示す縦断面図。
【図４】本発明の第１の実施の形態の使用状態全体図。
【図５】本発明の第２の実施の形態の臭気等処理装置の横断面図。
【図６】本発明の第３の実施の形態の臭気等処理装置の横断面図。
【図７】本発明の第４の実施の形態の臭気等処理装置の横断面図。
【図８】本発明の第５の実施の形態の臭気等処理装置の横断面図。
【図９】本発明の第６の実施の形態の臭気等処理装置の縦断面図。
【図１０】本発明の第７の実施の形態の臭気等処理装置の横断面図。
【図１１】本発明の第８の実施の形態の臭気等処理装置の横断面図。
【図１２】本発明の第９の実施の形態の臭気等処理装置の横断面図。
【図１３】本発明の第９の実施の形態の臭気等処理装置の正面図。
【図１４】本発明の第１０の実施の形態を示す斜視図。
【図１５】本出願人の発明であるところの第１１の実施の形態の排気ホースの筒状態を示す側面図。
【図１６】本出願人の発明であるところの第１１の実施の形態の排気ホースの平状態を示す側面図。
【図１７】本出願人の発明であるところの第１１の実施の形態の筒状態での正面図。
【図１８】本出願人の発明であるところの第１２の実施の形態の板状部材片の正面図。
【図１９】本出願人の発明であるところの第１２の実施の形態の排気ホースの部分斜視図。
【図２０】本出願人の発明であるところの第１２の実施の形態の平状態の側面図。
【図２１】本出願人の発明であるところの第１２の実施の形態の使用状態側面図。
【図２２】本出願人の発明であるところの第１３の実施の形態の筒状態と折りたたみ状態の正面図。
【図２３】本出願人の発明であるところの第１４の実施の形態の筒状態と折りたたみ状態の正面図。
【図２４】本出願人の発明であるところの第１５の実施の形態の展開と筒状態の正面図
【図２５】本出願人の発明であるところの第１５の実施の形態の側面図。
【符号の説明】
【００３０】
１：臭気等処理装置、
２：ボックス本体、
３：開口部、
４：吸出口、
５：臭気等誘導部、
６：排出部、
７：吸排気ファン、
８：投入物、
９：投入物前方行阻止部、
１０：投入物受け部材、
１１：投入物受け部材係止部、
１２：ベッド、
１３：介護される者、
１４：排気ホース、
１５：戸、
１６：戸口、
１７：排気ダクト、
１８：隙間塞板、
２１：ビニール筒、
２２：吸込みホース、
２４：吸排気ファン、
２５：ビニール筒、
２６：固定手段、
２７：結束手段、
２９：ファン取付け部、
３０：空気抵抗軽減カーブ部、
３２：消臭手段、
３４：誘導部形成板、
３５：ボックス内上部誘導部、
３６：天井側吸出口、
３８：臭気等誘導部、
３９：誘導部形成板、
４０：排出口、
４１：ダンボール板、
４３：臭気等誘導部、
４４：誘導部形成板、
４５：吸出口、
４６：臭気誘導部、
４７：上部吸出口、
４８：側部吸出口、
４９：吸出口、
５１：臭気等誘導装置、
５２：フランジ、
５３：粘着部、
５５：排気ホース、
５６：ホース本体５６、
５７：四角筒体、
５８：胴部、
５９：腕部、
６０：板状部材片、
６１：筒状形態保持手段、
６２：排気ダクト、
６３：接続手段、
６４：糊代部、
６５：筒状形態保持手段、
６６：切込み、
６７：切込み、
６８：上部腕部、
６９：下部腕部、
７０：胴部、
７１：糊代部、
７２：板状部材片、
７３：折部、
７４：ダンボール板材、
７６：筒状形態保持手段、
７７：空間部、
７８：胴部、
７９：胴部、
８０：糊代部、
８１：板状部材片、
８２：折り目、
８３：折り目、
８４：折り目、
８６：筒状形態保持手段、
８７：板状部材、
８８：上部腕部、
８９：下部腕部、
９０：胴部、
９１：糊代部、
９５：底部横片形成部、
９６：筒状形態保持手段、
９７：底部、
９８：右側部、
９９：左側部、
１００：板状部材片、
１０１：頂部。
【図１】
2008307407.tif 000003
【図２】
2008307407.tif 000004
【図３】
2008307407.tif 000005
【図４】
2008307407.tif 000006
【図５】
2008307407.tif 000007
【図６】
2008307407.tif 000008
【図７】
2008307407.tif 000009
【図８】
2008307407.tif 000010
【図９】
2008307407.tif 000011
【図１０】
2008307407.tif 000012
【図１１】
2008307407.tif 000013
【図１２】
2008307407.tif 000014
【図１３】
2008307407.tif 000015
【図１４】
2008307407.tif 000016
【図１５】
2008307407.tif 000017
【図１６】
2008307407.tif 000018
【図１７】
2008307407.tif 000019
【図１８】
2008307407.tif 000020
【図１９】
2008307407.tif 000021
【図２０】
2008307407.tif 000022
【図２１】
2008307407.tif 000023
【図２２】
2008307407.tif 000024
【図２３】
2008307407.tif 000025
【図２４】
2008307407.tif 000026
【図２５】
2008307407.tif 000027